(57)【要約】【課題】  作業指示書の作成・更新等を行う管理者の作業負担を大幅に軽減する。【解決手段】  ＤＢサーバ１０の作業指示データ記憶部１１には、各フローデータに、複数のセクションデータとその実行順序が関連付けられる形で作業指示データが格納されている。セクションデータは、複数の作業ステップをまとめたものである。作業指示データの作成管理装置２０は、ＤＢサーバにアクセスして上記フローデータ、セクションデータ等を作成・更新等する。例えば、フローデータ／セクションデータ関連付け部２３によって、各フローデータをセクションデータ単位で編集できる。１つのセクションデータを複数のフローデータに関連付けることもできる。【選択図】      図１
2007048009.tif 000002
【特許請求の範囲】
【請求項１】
データベースサーバと作成管理装置とがネットワークに接続されたシステムにおいて、
前記データベースサーバは、
複数の連続する作業工程の実行順序と各作業工程毎の作業指示データを有する各セクションデータを記憶するセクションデータ記憶手段と、
各製造作業毎に、複数の前記セクションデータと該セクションデータの実行順序を定義したフローデータを記憶するフローデータ記憶手段とを有し、
前記作成管理装置は、
前記セクションデータ記憶手段とフローデータ記憶手段を参照して、前記フローデータを前記セクションデータ単位で編集させる作業指示データ作成手段を、
有することを特徴とする作業支援システム。
【請求項２】
前記作業指示データ作成手段は、任意にフローデータを指定させ、該指定されたフローデータに関するセクションデータを表示すると共に他のセクションデータを一覧表示して、指定されたフローデータに関するセクションデータの削除又は実行順序の変更、あるいは一覧表示される他のセクションデータの中から指定されたセクションデータを追加する操作を行えるフロー・セクション関連付け画面を表示して、前記フローデータの編集を行わせることを特徴とする請求項１記載の作業支援システム。
【請求項３】
前記ネットワークには更に作業者支援装置が接続され、該作業者支援装置は前記フローデータ記憶手段、セクションデータ記憶手段から該当データを取得して前記作業指示データを順次表示し、
前記フローデータには、リリース済みか編集中かを示す状態データと使用可否を示すデータとが含まれ、
前記作業指示データ作成手段は、任意の前記フローデータを更新する際には、該フローデータをコピーして更新版のフローデータの雛形を作成すると共に該更新版のフローデータを使用可とすると共にその状態データを編集中とし、該更新版のフローデータの雛形を用いて更新版のフローデータを作成させ、作成完了後に所定の入力を行わせることで、前記状態データをリリース済みとすると共に旧版のフローデータは使用不可とし、
前記作業者支援装置は、使用可で且つリリース済みのフローデータを前記該当データとして取得することを特徴とする請求項１記載の作業支援システム。
【請求項４】
前記ネットワークには更に作業者支援装置が接続され、該作業者支援装置は前記フローデータ記憶手段、セクションデータ記憶手段から該当データを取得して前記作業指示データを順次表示し、
前記セクションデータには、前記各作業手順毎にその作業指示データに変更があったか否かを示す更新有無データが含まれ、
前記作業指示データ作成手段は、任意の前記セクションデータの編集を行わせ、変更があった作業指示データに関する更新有無データを更新有りとし、
前記作業者支援装置は、前記各作業指示データを表示する際には、前記更新有無データを用いて、表示している作業指示データに更新があったか否かを表示することを特徴とする請求項１記載の作業支援システム。
【請求項５】
前記ネットワークには更に作業者支援装置が接続され、該作業者支援装置は前記フローデータ記憶手段、セクションデータ記憶手段から該当データを取得して前記作業指示データを順次表示し、
前記セクションデータには、該セクションデータに係る全作業指示データの表示を繰り返し実行するか否かを示すフラグが含まれ、
前記作業指示データ作成手段は、該フラグのＯＮ／ＯＦＦを設定させ、
前記作業者支援装置は、該フラグ情報を参照して、フラグＯＮであるセクションデータについては、該セクションデータに係る全作業指示データの表示を１セットとして、指定された複数セット分繰り返し表示実行することを特徴とする請求項１記載の作業支援システム。
【請求項６】
前記ネットワークには更に作業者支援装置が接続され、該作業者支援装置は前記フローデータ記憶手段、セクションデータ記憶手段から該当データを取得して前記作業指示データを順次表示し、
前記セクションデータには、表示中断の有無を示すフラグが含まれ、
前記作業指示データ作成手段は、該フラグのＯＮ／ＯＦＦを設定させ、
前記作業者支援装置は、前記フラグがＯＮであるセクションデータに関しては、該セクションデータに係る全作業指示データの表示を実行したら、次のセクションデータの表示を行わずに中断し、所定の再開条件が満たされたら前記次のセクションデータの表示を実行することを特徴とする請求項１記載の作業支援システム。
【請求項７】
前記ネットワークには更に作業者支援装置が接続され、該作業者支援装置は前記フローデータ記憶手段、セクションデータ記憶手段から該当データを取得して前記各作業指示データを用いた作業指示画面の表示を順次実行し、
前記作業指示データには、任意のデータ入力を要求するデータが含まれ、
前記作業指示画面には該要求に対応した入力領域が含まれることを特徴とする請求項１記載の作業支援システム。
【請求項８】
データベースサーバと作成管理装置とがネットワークに接続されたシステムにおける前記データベースサーバにおいて、
複数の連続する作業工程の実行順序と各作業工程毎の作業指示データを有する各セクションデータを記憶するセクションデータ記憶手段と、
各製造作業毎に、複数の前記セクションデータと該セクションデータの実行順序を定義したフローデータを記憶するフローデータ記憶手段と、
を有することを特徴とするデータベースサーバ。
【請求項９】
データベースサーバと作成管理装置とがネットワークに接続されたシステムにおける前記作成管理装置において、
複数の連続する作業工程の実行順序と各作業工程毎の作業指示データを有する各セクションデータを記憶すると共に各製造作業毎にその製造作業に対応する複数の前記セクションと該セクションの実行順序を定義したフローデータを記憶するデータベースを有する前記データベースサーバに、前記ネットワークを介してアクセスして、前記データベースに記憶されている前記各データを参照して、前記フローデータを前記セクション単位で編集させる作業指示データ作成手段、
を有することを特徴とする作成管理装置。
【請求項１０】
コンピュータに、
複数の連続する作業工程の実行順序と各作業工程毎の作業指示データを有する各セクションデータを記憶する機能と、
各製造作業毎に、複数の前記セクションデータと該セクションデータの実行順序を定義したフローデータを記憶する機能と、
を実現させる為のプログラム。
【請求項１１】
コンピュータに、
複数の連続する作業工程の実行順序と各作業工程毎の作業指示データを有する各セクションデータを記憶する機能と、
各製造作業毎に、複数の前記セクションデータと該セクションデータの実行順序を定義したフローデータを記憶する機能と
前記記憶されている各種データに基づいて、前記フローデータを前記セクションデータ単位で編集させる機能と、
を実現させるためのプログラム。
【発明の詳細な説明】
【技術分野】
【０００１】
本発明は、作業者の端末に作業指示を順次表示することで作業者を支援する作業支援システムに関する。
【背景技術】
【０００２】
一般的に、生産現場で行なわれる作業を指示する場合、技術者が作業内容を規定した作業指示書データ作成して、この作業指示書データを紙に印刷し、この作業指示書（紙）を生産現場の各作業者に配布する。各作業者は、この作業指示書を参照しながら、製品組立等の作業を実行していた。
【０００３】
これに対して、近年では、ＰＣ技術やＤＢ（データベース）技術やネットワーク技術を用いることで、ＬＡＮ等のローカルネットワークに、作業指示書の電子データを格納したサーバ装置と各作業場所に配置されたクライアント装置を接続し、各クライアント装置が、サーバ装置から作業指示書の電子データを取得して表示する技術が提案されている。例えば、特許文献１、特許文献２に記載の技術が提案されている。
【０００４】
特許文献１には、各製品について生産ラインでの作業項目毎に作成された複数ページから成る作業指示書を、ＰＤＦ形式でデータ蓄積したサーバ装置と、ネットワークを介してこの作業指示書ファイルを取り込んで表示するクライアント装置から成る作業指導書表示システムが開示されている。特許文献１では、作業指示を、文字だけでなく、画像によっても表示している。
【０００５】
特許文献２の発明は、作業指示情報を簡単に生成することができる指図書作成装置を提供する。特許文献２の発明は、指図書の表示レイアウトを特定する指図書雛形をＨＴＭＬ形式で記憶すると共に部品に関する情報を記憶し、これら記憶した情報を用いて作業指示情報である指図書を作成して、承認を条件に、作成した指図書をネットワーク接続された作業支援端末へ配信するものである。
【特許文献１】特開２００１−２６５４２０号公報
【特許文献２】特開２００２−２５９５００号公報
【発明の開示】
【発明が解決しようとする課題】
【０００６】
上記特許文献１では、作業指示書データをＰＤＦ形式で作成している為、多数の作業項目より成る作業を、その図３に示すように、１つの作業項目毎に１つのページを作成して（ここでは全２６頁）、各ページを順次表示していく。このように、ＰＤＦファイル内に多数の作業項目の作業指示ページが単に羅列されている状態である為、作業指示書データを作成・更新する者（管理者等）にとっては、作業指示書データの作成・更新作業が手間の掛かるものとなっていた。例えば、上記各作業項目は、複数の作業指示書で使用されている場合も少なくない。例えば、５つの作業指示書Ａ〜Ｅがあり、作業項目ｐがあったとし、例えば、作業項目ｐは、作業指示書Ａにおける５番目の作業項目、作業指示書Ｃにおける２３番目の作業項目、作業指示書Ｄにおける５６番目の作業項目である、等ということがあり得る。そして、例えば、あるときに作業項目ｐの更新（一部修正）が必要となった場合、管理者は、作業指示書Ａ，Ｃ，Ｄ各々について、作業項目ｐの作業指示ページを探し出して、それぞれ修正を行なわなければならず、非常に手間が掛かっていた。
【０００７】
一方、特許文献２では、作業指示データの維持管理環境においては改善が進んでいるが、上記特許文献１と同様に、作業指示データの一括修正時の迅速さと正確さに問題があった。
【０００８】
また、現在の作業現場では、一人生産、ライン生産、ロット生産等の生産方式を状況に応じて適宜適用していく場合があり、これら様々な生産方式に応じた作業指示書の表示を行えるようにすることが望まれるが、上記特許文献１，２では何等対応できない。
【０００９】
本発明の課題は、作業指示書データの作成・更新等を行う管理者の作業負担を大幅に軽減でき、あるいは一人生産、ライン生産、ロット生産等の様々な生産方式に応じた作業指示書の表示を行える作業支援システム、そのデータベースサーバ、作成管理装置、プログラム等を提供することである。
【課題を解決するための手段】
【００１０】
本発明の作業支援システムは、データベースサーバと作成管理装置とがネットワークに接続されたシステムにおいて、前記データベースサーバは、複数の連続する作業工程の実行順序と各作業工程毎の作業指示データを有する各セクションデータを記憶するセクションデータ記憶手段と、各製造作業毎に、複数の前記セクションデータと該セクションデータの実行順序を定義したフローデータを記憶するフローデータ記憶手段とを有し、前記作成管理装置は、前記セクションデータ記憶手段とフローデータ記憶手段を参照して、前記フローデータを前記セクションデータ単位で編集させる作業指示データ作成手段を有する。
【００１１】
上記作業支援システムにおいて、例えば、前記作業指示データ作成手段は、任意にフローデータを指定させ、該指定されたフローデータに関するセクションデータを表示すると共に他のセクションデータを一覧表示して、指定されたフローデータに関するセクションデータの削除又は実行順序の変更、あるいは一覧表示される他のセクションデータの中から指定されたセクションデータを追加する操作を行えるフロー・セクション関連付け画面を表示して、前記フローデータの編集を行わせる。
【００１２】
上記作業支援システムにおいて、例えば、前記ネットワークには更に作業者支援装置が接続され、該作業者支援装置は前記フローデータ記憶手段、セクションデータ記憶手段から該当データを取得して前記作業指示データを順次表示し、前記フローデータには、リリース済みか編集中かを示す状態データと使用可否を示すデータとが含まれ、前記作業指示データ作成手段は、任意の前記フローデータを更新する際には、該フローデータをコピーして更新版のフローデータの雛形を作成すると共に該更新版のフローデータを使用可とすると共にその状態データを編集中とし、該更新版のフローデータの雛形を用いて更新版のフローデータを作成させ、作成完了後に所定の入力を行わせることで、前記状態データをリリース済みとすると共に旧版のフローデータは使用不可とし、前記作業者支援装置は、使用可で且つリリース済みのフローデータを前記該当データとして取得する。
【００１３】
上記作業支援システムにおいて、例えば、前記ネットワークには更に作業者支援装置が接続され、該作業者支援装置は前記フローデータ記憶手段、セクションデータ記憶手段から該当データを取得して前記作業指示データを順次表示し、前記セクションデータには、前記各作業手順毎にその作業指示データに変更があったか否かを示す更新有無データが含まれ、前記作業指示データ作成手段は、任意の前記セクションデータの編集を行わせ、変更があった作業指示データに関する更新有無データを更新有りとし、前記作業者支援装置は、前記各作業指示データを表示する際には、前記更新有無データを用いて、表示している作業指示データに更新があったか否かを表示する。
【００１４】
上記作業支援システムにおいて、例えば、前記ネットワークには更に作業者支援装置が接続され、該作業者支援装置は前記フローデータ記憶手段、セクションデータ記憶手段から該当データを取得して前記作業指示データを順次表示し、前記セクションデータには、該セクションデータに係る全作業指示データの表示を繰り返し実行するか否かを示すフラグが含まれ、前記作業指示データ作成手段は、該フラグのＯＮ／ＯＦＦを設定させ、前記作業者支援装置は、該フラグ情報を参照して、フラグＯＮであるセクションデータについては、該セクションデータに係る全作業指示データの表示を１セットとして、指定された複数セット分繰り返し表示実行する。
【００１５】
上記作業支援システムにおいて、例えば、前記ネットワークには更に作業者支援装置が接続され、該作業者支援装置は前記フローデータ記憶手段、セクションデータ記憶手段から該当データを取得して前記作業指示データを順次表示し、前記セクションデータには、表示中断の有無を示すフラグが含まれ、前記作業指示データ作成手段は、該フラグのＯＮ／ＯＦＦを設定させ、前記作業者支援装置は、前記フラグがＯＮであるセクションデータに関しては、該セクションデータに係る全作業指示データの表示を実行したら、次のセクションデータの表示を行わずに中断し、所定の再開条件が満たされたら前記次のセクションデータの表示を実行する。
【００１６】
上記作業支援システムにおいて、例えば、前記ネットワークには更に作業者支援装置が接続され、該作業者支援装置は前記フローデータ記憶手段、セクションデータ記憶手段から該当データを取得して前記各作業指示データを用いた作業指示画面の表示を順次実行し、前記作業指示データには、任意のデータ入力を要求するデータが含まれ、前記作業指示画面には該要求に対応した入力領域が含まれる。
【００１７】
本発明のデータベースサーバは、データベースサーバと作成管理装置とがネットワークに接続されたシステムにおける前記データベースサーバにおいて、複数の連続する作業工程の実行順序と各作業工程毎の作業指示データを有する各セクションデータを記憶するセクションデータ記憶手段と、各製造作業毎に、複数の前記セクションデータと該セクションデータの実行順序を定義したフローデータを記憶するフローデータ記憶手段とを有する。
【００１８】
本発明の作成管理装置は、データベースサーバと作成管理装置とがネットワークに接続されたシステムにおける前記作成管理装置において、複数の連続する作業工程の実行順序と各作業工程毎の作業指示データを有する各セクションデータを記憶すると共に各製造作業毎にその製造作業に対応する複数の前記セクションと該セクションの実行順序を定義したフローデータを記憶するデータベースを有する前記データベースサーバに、前記ネットワークを介してアクセスして、前記データベースに記憶されている前記各データを参照して、前記フローデータを前記セクション単位で編集させる作業指示データ作成手段を有する。
【発明の効果】
【００１９】
本発明の作業支援システム、そのデータベースサーバ、作成管理装置、プログラム等によれば、作業指示書データの作成・更新等を行う管理者の作業負担を大幅に軽減できる。あるいは一人生産、ライン生産、ロット生産等の様々な生産方式に応じた作業指示書の表示を行える。
【発明を実施するための最良の形態】
【００２０】
以下、図面を参照して本発明の実施の形態について説明する。
図１は、本実施の形態による作業支援システム全体の構成図である。
図示の作業支援システム１は、データベース（ＤＢ）サーバ１０、複数の作業者支援装置２、及び作業指示データの作成管理装置２０が、ネットワーク３に接続しており、相互にデータ送受信可能となっている。尚、作業指示データの作成管理装置２０の機能をデータベース（ＤＢ）サーバ１０が有する構成としてもよい。
【００２１】
ＤＢサーバ１０は、作業指示データ記憶部１１と作業指示データファイル記憶部１２とを有する。作業指示データ記憶部１１は、作業指示データ及びその管理情報を、一定の規則性に基づいて保持している。この一定の規則性とは、詳しくは後述するが、図上に概略的なイメージで示す通り、各フローと、フローを構成する複数のセクション及び各セクションの実行順序が規定されているものである。更に、後に説明するように各セクションの管理情報と各セクションを構成する各ステップ（作業工程）の実行順序が規定されている。そして各ステップ（作業工程）毎に対応付けてその作業指示データが格納されている。
【００２２】
フローは、１つの大きな作業全体を示すものであり、例えば１つの製品の組立て開始から完成まで一連の作業工程の流れに対応するものである。このフロー（作業全体）を大まかに複数に分割したものがセクションである。これは、各フローは多数の細かな作業ステップから成り、この多数の作業ステップのうちの任意の連続する複数の作業ステップをまとめたものがセクションであるとも言える。あるいは、別の定義としては、生産製品やユニット部品等、複数の工程や作業の集合体をフローデータとして定義し、当該製品やユニット部品等の生産行為を見渡して、作業の集合体毎にセクションデータとして定義する。
【００２３】
各セクションデータには、それぞれ、固有の識別コード（後述するセクションＩＤ）が割り当てられており、各フローデータには、それぞれ、自フローを構成するセクションとその実行順序が、上記セクションＩＤを用いて記述されている。作業指示データ記憶部１１に格納される各種テーブルの具体例は、図３〜図５に示しており、後に説明する。また、各フローデータにも、それぞれ、固有の識別コード（後述するフローＩＤ）が割り当てられている。
【００２４】
作業指示データファイル記憶部１２には、上記各作業ステップ（作業工程）における作業指示内容を各作業者支援装置２に表示する為の各種電子データファイル（図面、静止画、動画等のデータファイル）が記憶されている。これら各種データファイルは、一定の法則に基づいて保持されている。この一定の法則とは、各セクション毎に対応する各種電子データファイルをまとめて１つのフォルダに格納すると共に、このフォルダ名をセクションの上記セクションＩＤとすることであり、詳しくは後述する。
【００２５】
上記作業者支援装置２、及び作業指示データの作成管理装置２０は、例えばパーソナルコンピュータ等の汎用コンピュータにより実現され、ネットワーク３を介してＤＢサーバ１０にアクセスして、上記作業指示データ等を利用可能となっている。但し、作業者支援装置２は、作業指示データ等を読み出して表示させる機能は有するが、作業指示データ等を変更・編集等することはできない。一方、作業指示データの作成管理装置２０は、作業指示データ等の編集や新規登録を行える機能も備えている（勿論、表示機能も備える）。これら機能は、予め記憶されている所定のアプリケーションプログラムをＣＰＵ等が実行することにより実現される。
【００２６】
作業指示データの作成管理装置２０は、上記編集等に係る機能として、作業指示データ作成部２１を備える。作業指示データ作成部２１は、フローデータ／セクションデータ作成部２２、フローデータ／セクションデータ関連付け部２３、セクションデータ編集部２４、作業指示データリリース部２５、作業指示データコピー部２６等の各種機能を提供するものである。特に図示しないが、画面上のメニューから実行機能を選択することにより、上記各部間の遷移が可能な仕組みとなっている。
【００２７】
これら作業指示データ作成部２１の各種機能については、後に詳細に説明するが、基本的な流れとしては、ＤＢサーバ１０にアクセスすると、管理者（作成管理装置２０の使用権限を有するユーザであり、作業指示データの作成・編集・管理を行う者：ＩＤ、パスワードの入力により識別する）に所望のフローを選択させ、選択されたフローに係る管理情報や作業指示データを作業指示データ記憶部１１から取得して、ローカル環境のメモリ（作成管理装置２０が備えるメモリ）に格納する。同様に、作業指示データファイル記憶部１２からも、該当する電子データファイルを取得して、上記ローカル環境のメモリに格納する。そして、これら作業指示データや管理情報や電子データファイルの編集等を管理者に行なわせ、その結果をＤＢサーバ１０に送信することで、作業指示データ記憶部１１と作業指示データファイル記憶部１２の内容を更新させる。勿論、新たな作業指示データや管理情報や電子データファイルを管理者に作成させて、作業指示データ記憶部１１や作業指示データファイル記憶部１２に新規登録させるようにしてもよい。尚、これら基本的な機能については、以下の説明では逐一説明はしないものとする。
【００２８】
尚、作業指示データ記憶部１１に格納される作業指示データとは、作業指示画面に表示する文章や、図面、画像等のファイルのファイル名等であり、このファイルが格納されているのが作業指示データファイル記憶部１２である。よって、これらをまとめて作業指示データと呼んでも良い。また、図では、作業指示データの作成管理装置２０は１つのみ示すが、複数あってもよい。
【００２９】
図２に、上記フローデータとセクションデータとの関連付けの具体例を示す。
図示の例では、２種類のフローを示し、一方のフローはＡ製品組立作業、他方のフローはＢ製品組立作業に関するものである。
【００３０】
図２（ａ）に示す通り、Ａ製品組立作業は、○×作業→△○作業→■△作業→△□作業の各作業（セクション）を順次実行することで、Ａ製品を組み立てる作業である。Ｂ製品組立作業は、×□作業→■△作業→○○作業を順次実行することで、Ｂ製品を組み立てる作業である。ここで、■△作業は、Ａ製品，Ｂ製品両方の組立作業に用いられる。よって、例えば最初にＡ製品組立作業のフローを作成する際に上記各セクションを作成していたら、その後、Ｂ製品組立作業のフローを作成する際には、■△作業のセクションデータを流用できるので、作成作業の手間を軽減できる。
【００３１】
既に述べた通り、各フロー及び各セクションには、固有のＩＤが割り当てられており、図２（ｂ）に示す通り、それぞれにＩＤが割り当てられている。各フローデータでは、セクションＩＤを用いて、実行するセクションとその順番を規定している。
【００３２】
上述してある従来技術では、図２に示すようなフローとセクションの関係の規定に相当する技術はない。本手法では、セクション単位で作業指示データを管理・編集できるので、修正やバージョンアップ等の作業効率が向上する。
【００３３】
図３〜図５に、上記フローデータとセクションデータの一例を示す。
図３（ａ）、（ｂ）にはフローデータ例を示す。図３（ａ）にはフローデータ管理テーブル（メイン）、図３（ｂ）にはフローデータ管理テーブル（サブ）を示す。つまり、フローデータは、メインとサブのテーブルより成る（そして、フローＩＤによってリンクする）。
【００３４】
図３（ａ）に示すフローデータ管理テーブル（メイン）３０は、フロー名３１、フローＩＤ３２、作成者３３、作成日３４、版数３５、状態３６、及び使用３７の各データフィールドより成る。
【００３５】
フロー名３１は、フローデータの名称を保持しているフィールドである。
フローＩＤ３２は、上述してある各フローデータを識別する為の固有のコードであるフローＩＤを保持しているフィールドである。尚、フローＩＤは、後述するように管理者が新たなフローを作成する際又は既存のフローを更新する際に自動的に決定される。図示の例のＡ製品組立ての様に、更新等が行なわれた場合には、第２版は第１版とは異なるフローＩＤが与えられる（フロー名は同じである）。
【００３６】
作成者３３は、フローデータを作成した管理者の名前を保持するフィールドである。
作成日３４は、フローデータを作成した年月日を保持するフィールドである。
版数３５は、フローデータの版数、すなわち更新回数を保持しているフィールドである。
【００３７】
状態３６は、フローデータの状態を保持しているフィールドであり、「リリース」は運用可能、「編集中」は内容を編集中であることを意味する。
使用３７は、フローデータの使用可否を保持するフィールドであり、「使用する」は運用、編集可能、「使用しない」は運用、編集不可を意味する。後述するように、あるフローデータの更新版が新たに作成される際には、旧版は、更新版を編集中のときには「使用する」のままであるが、編集完了してリリースされたら「使用しない」となる。
【００３８】
図３（ｂ）に示すフローデータ管理テーブル（サブ）４０は、フローＩＤ４１、実行順序４２、セクションＩＤ４３の各フィールドより成る。
フローＩＤ４１は、上記フローＩＤを保持しているフィールドである。
【００３９】
実行順序４２は、フローＩＤ４１のフローに関連付けられたセクションデータ（セクションＩＤ４３のセクションＩＤが割り当てられているセクションデータ）の実行順序を保持しているフィールドである。
【００４０】
セクションＩＤ４３は、フローＩＤ４１のフローに関連付けられたセクションデータのセクションＩＤを保持するフィールドである。
図示の例では、例えば、フローＩＤ＝FLOW00101のフローに関連付けられるセクションデータは、そのセクションＩＤが56065、55001、45002である３つのセクションデータであり、56065→55001→45002の順番で各セクションデータが実行されることになる。
【００４１】
図４、図５に、セクションデータの一例を示す。図４にはメインテーブル、図５にはサブテーブルを示す。
図４に示すセクションデータ管理テーブル（メイン）５０は、セクション名５１、セクションＩＤ５２、区切り５３、ロット生産５４、作成者５５、及び作成日５６の各フィールドより成る。テーブル４０とテーブル５０は、セクションＩＤによってリンクしている。
【００４２】
セクション名５１は、そのセクションデータの名称を保持しているフィールドである。これは、図８の画面３００上で管理者によって任意に入力された名称である。
セクションＩＤ５２は、そのセクションデータの上記セクションＩＤを保持しているフィールドである。セクションＩＤは、図８の画面３００上で新規セクションデータの作成が指示されたときに自動的に割り当てられる。
【００４３】
区切り５３は、「なし」はセクションデータ連続実行、「あり」はセクションデータ単位で実行を意味する。つまり、「なし」とは、通常通り、そのセクションデータに関する表示を実行したら、次のセクションデータの表示に移行することを指定する。「あり」とは、そのセクションデータに関する表示実行したら、次のセクションデータに移ることなく、中断することを指定する。再開条件は任意に決定してよいが、これは基本的には１つのフローの作業を複数の作業者で分担する場合に対応するものであるので、次のセクションの担当者が自己の社員ＩＤを入力すること等を再開条件としてもよい。
【００４４】
ロット生産５４は、ロット生産に対応する表示を行うか否かを示すデータを保持するフィールドであり、「する」はセクションデータのリピート表示を実行することを意味し(ロット生産に対応)、「しない」はセクションデータのリピート表示を実行しないこと（通常通り）を意味する。
【００４５】
後に作業者支援装置２において作業指示データを表示する際には、ロット生産５４が「する」となっているセクションの作業指示画面は、生産計画数に従って繰り返し表示され、区切り５３が「あり」となっているセクションは、当該セクションの作業指示画面を表示後に、次のセクションを実行せずに、中断状態とする。これは、上記の通り、当該セクションの作業を終了したら、作業者が入れ替わる場合に対応している。
【００４６】
作成者５５は、そのセクションデータを作成した管理者の名前を保持するフィールドである。
作成日５６は、そのセクションデータを作成した年月日を保持するフィールドである。
【００４７】
図５に示すセクションデータ管理テーブル（サブ）６０は、セクションＩＤ６１、ステップNo.６２、ステップ名６３、表示レベル６４、作業説明６５、作業指示図６６、音声指示６７、使用部品／乙材６８、使用個数６９、使用治具／工具７０、リンクファイル７１、動画ファイル７２、作業者動作の設定７３、作業者へのメッセージ７４、上限値７５、下限値７６、及び更新有無７７の各フィールドより成る。テーブル５０とテーブル６０とは、セクションＩＤによってリンクしている。
【００４８】
ここで、セクションデータは、複数のステップから成る。作業者支援装置２では、ステップ単位で表示を行う（１ステップ分で１ページ表示）。すなわち、任意のセクションデータの作業指示内容を表示する場合には、まずこのセクションデータに対応付けられている複数のステップから最初のステップの表示データを用いて作業指示画面の表示を行い、作業者がこの表示を参照してこのステップの作業を完了したら、例えば不図示の「次のステップへ」ボタンを操作することで、次のステップの表示データを用いて表示を次の作業指示画面の表示にすることを行うことになる。各ステップの実行順序は、ステップNo.６２に格納されている。上記各ステップの表示は、上記ステップ名６３、作業説明６５〜作業者へのメッセージ７４等に格納されている文字情報やファイル名のファイルを用いて行なわれることになる。上記の通り、このファイルは、作業指示データファイル記憶部１２に記憶されている。この様に、セクションデータ管理テーブル（サブ）６０は、各セクションデータ内の各ステップの実行順序と作業指示データ（そのファイル名）を格納するテーブルである。
【００４９】
セクションＩＤ６１は、各セクションデータのセクションＩＤを保持するフィールドである。
ステップNo.６２は、セクションＩＤ６１のセクションデータ内の各ステップの実行順序を保持するフィールドである。
【００５０】
ステップ名６３は、各ステップの名称を保持するフィールドである。
表示レベル６４は、各ステップの表示レベルを保持するフィールドである。
作業説明６５は、各ステップの作業説明文を保持するフィールドである。
【００５１】
作業指示図６６は、各ステップの作業指示図ファイル名を保持するフィールドである。作業指示図ファイルは、画像ファイル（ＪＰＥＧ等）の他に、絵のデータを扱うことができる例えばPowerPointやVisio（マイクロソフト社）等のファイルを用いて、複数手順の作業指示図を１つのファイルにまとめてもよい。
【００５２】
音声指示６７は、各ステップの音声ファイル名を保持するフィールドである。この音声ファイルは、作業者支援装置２に表示される作業指示画面で当該ステップの作業が実行されたときに音を鳴らせる為の音ファイルである。
【００５３】
使用部品／乙材６８は、各ステップの使用部品／乙材のコードを保持するフィールドである。
使用個数６９は、上記使用部品／乙材の数を保持するフィールドである。
【００５４】
使用治具／工具７０は、各ステップの使用治具／工具のコードを保持するフィールドである。
リンクファイル名７１は、リンクファイル名を保持するフィールドである。
【００５５】
動画ファイル７２は、動画ファイル名を保持するフィールドである。
作業者動作の設定７３は、作業者動作を保持するフィールドである。
作業者へのメッセージ７４は、上記作業者動作を作業者に伝える為の指示メッセージを保持するフィールドである。
【００５６】
上限値７５、下限値７６は、上記作業者へのメッセージ７４に伴い作業者に任意の数値を入力させる場合に、当該数値の上限値／下限値を保持するフィールドである。この上限値／下限値は、管理者等が任意に決めて設定する。
【００５７】
更新有無７７は、各ステップの更新の有無を保持するフィールドである。任意のステップに関する作業指示内容が変更された場合には、「有」が格納されることになる。
上記図３〜図５に示すデータ構造を有することにより、例えば、各セクションで共通的に使われている部品等の型番を、データベースの機能を用いて検索して、一括修正を行うことも可能である。あるいは、図５において任意のセクションに関連付けられる任意のステップの内容を更新した場合において、この更新したステップを用いる全てのセクションで、更新後の内容を用いるような現場状況にある場合には、更新したステップのステップ名等を用いてデータベース検索して、ステップ名が同じである全てのステップの内容が、更新版の内容となるように一括修正することもできる。これによって、あるセクション内のステップの内容を更新したときに、同じステップを用いる他のセクションに関しても自動的に修正されるので、修正作業の手間が軽減できる。
【００５８】
尚、上記図３〜図５に示すデータ構造を、パラメトリックに管理される（一定の規則性を持って格納される）情報と呼ぶ。
また、任意のセクションを変更した場合（そのセクション内のステップの順番変更、新規ステップ追加、ステップの削除等）、複数のフローがこのセクションを共通して使用している場合でも、上記の通りセクションＩＤによって管理しているので、あるフローの任意のセクションＩＤを更新後のセクションのセクションＩＤに変更すれば、同じセクションを使用している他のフローデータに関しても、更新前のセクションＩＤを用いて検索して、該当するものは全て更新後のセクションＩＤに変更すれば済み、自動的に該当する全フローデータの変更が行われるので、管理者の作業負担を軽減できる。尚、これは、セクションデータを更新する場合に更新版のセクションデータを新たに作成して新たなセクションＩＤを割り当てる場合を想定しているが、既存のセクションデータの一部を変更する（よって、セクションＩＤは変わらない）ことで更新を行う構成とした場合には、当然、フローデータを修正する必要はない。
【００５９】
以下、上記フローデータ、セクションデータの作成・編集・更新を、管理者に行なわせる為の機能を、その画面例を示しつつ説明する。
図６に、上記作業指示データコピー部２６によって作業指示データの作成管理装置２０のディスプレイに表示されるフローデータ／セクションデータコピー画面１００の一例を示す。
【００６０】
図示のコピー画面１００には、一覧表示１０１、選択ボタン１０２、コピー対象フロー名１０３、コピー実行ボタン１０４、コピー対象セクション名１０５、及びコピー実行ボタン１０６が表示される。
【００６１】
一覧表示１０１には、作業指示データ記憶部１１に記憶されている全てのフローデータ、セクションデータの名称が一覧表示される。これは、上記テーブル３０，５０から、フロー名３１、セクション名５１を全て取得して（但し、フローデータの場合は、状態３６が「リリース済み」となっているデータのみ取得する。これは他の画面の一覧表示においても同様とする）一覧表示する。図示の例では、各フローデータ毎に、そのフローデータのフロー名を表示し、更にそのフローデータに関連付けられている各セクションデータのセクション名を表示する。
【００６２】
管理者が、マウス、キーボード等を操作することで、一覧表示１０１の表示領域上で所望のフロー名又はセクション名を選択し、選択ボタン１０２を操作すると、フローデータが選択された場合にはコピー対象フロー名１０３に選択されたフロー名が表示され、セクションが選択された場合にはコピー対象セクション名１０５に選択されたセクション名が表示される。
【００６３】
管理者は、フローデータを選択した場合には、コピー対象フロー名１０３の表示を見て確認したうえでコピー実行ボタン１０４を操作する。これにより、選択されたフローデータ（メイン・サブ両方）のコピーが作成され、このコピーには新たなフロー名とフローＩＤが割り当てられる。新たなフロー名は、デフォルトでは、コピー元のフロー名に「コピー〜」を付加したものとする（コピー〜＋オリジナル名とする）。新たなフロー名は、一覧表示１０１の表示領域に追加表示され、管理者は、一覧表示１０１上で名称変更を行える。
【００６４】
その後、管理者は、新たなフロー名のフローデータに対して、編集作業を行う。これによって、特にコピー元のフローデータの一部を変更するだけで新たなフローデータを作成できる場合（関連付けられるセクションデータの一部を変更、又はセクションデータを追加、削除するだけで新たなフローデータを作成できる場合）には、新たなフローデータの作成作業の手間が大幅に軽減できる。尚、このコピー機能は、新たなフローデータを作成する場合に限らず、既存のフローデータの更新版を作成する場合にも利用できる。この場合、一覧表示１０１には上記の通り、コピー〜＋オリジナル名が表示されるが、上記コピーにおけるフロー名にはオリジナル名が格納され、更に版数３５はオリジナルの版数＋１が格納される。尚、画面１００には示していないが、新規作成か更新版作成かを指定するボタン等も表示される。
【００６５】
セクションが選択された場合も、上記フローデータの新規作成の場合と同様であり（但し、作業指示データファイル記憶部１２における該当電子データファイル群も、後述するフォルダ（新たなセクション用のフォルダ）へとコピーされる）、管理者が、セクションを選択した場合には、コピー対象セクション名１０５の表示を見て確認したうえでコピー実行ボタン１０６を操作することで、選択されたセクションのセクションデータのコピーが作成され、このコピーには新たなセクション名とセクションＩＤが割り当てられ、管理者は、このセクション内のステップの一部を変更することで、手間が掛かることなく新たなセクションデータを作成できる。
【００６６】
図７に、上記フローデータ／セクションデータ関連付け部２３によって作業指示データの作成管理装置２０のディスプレイに表示されるフローデータ・セクションデータ関連付画面２００の一例を示す。
【００６７】
図示の関連付画面２００には、一覧表示２０１、選択ボタン２０２、関連付フロー名２０３、セクション編集領域２０４、ＵＰボタン２０５、ＤＯＷＮボタン２０６、ＤＥＬボタン２０７、及び「編集中で保存」ボタン２０８が表示される。
【００６８】
一覧表示２０１には、作業指示データ記憶部１１に記憶されている全てのフローデータ、セクションデータの名称が一覧表示される。
管理者が、この一覧表示２０１上で所望のフローデータを選択して選択ボタン２０２を操作すると、選択されたフローデータのフロー名が関連付フロー名２０３に表示されると共に、選択されたフローデータに関連付けられている全てのセクションデータのセクション名が、セクション編集領域２０４に表示される。このセクション名は、テーブル４０の実行順序４２の順番で表示される。管理者は、ＵＰボタン２０５、ＤＯＷＮボタン２０８を操作することで、この実行順序４２を変更することができる。また、ＤＥＬボタン２０７を操作することで、所望のセクションを削除できる。あるいは、管理者が、一覧表示２０１上で任意のセクション名を選択して選択ボタン２０２を操作すると、選択されたセクション名がセクション編集領域２０４に追加される（これはリストの最後に追加される）。この様にして編集したら（又は編集途中で中断したい場合には）「編集中で保存」ボタン２０８を操作することで、セクション編集領域２０４上での編集内容が保存される。もし、一覧表示２０１上に流用すべきセクションデータが無い場合には、後述するセクションデータ編集画面上で新たなセクションデータを作成する。
【００６９】
図８に、フローデータ／セクションデータ作成部２２によって作業指示データの作成管理装置２０のディスプレイに表示されるフロー／セクション新規作成画面３００の一例を示す。
【００７０】
図示の新規作成画面３００には、フロー名入力領域３０１、データ作成ボタン３０２、セクション名入力領域３０３、データ作成ボタン３０４が表示される。
管理者は、新規フローデータを作成したい場合には、フロー名入力領域３０１に所望のフロー名を入力してデータ作成ボタン３０２を操作する。これによって、テーブル３０に新たなレコードが作成される。その後、上記画面２００に切り替わり、管理者によって、新たなフローデータに関連付けるセクションデータが編集されると、この編集内容に基づいてテーブル４０に新たなレコードが作成される。
【００７１】
上記テーブル３０に新規作成されるレコードは、そのフロー名３１に上記フロー名入力領域３０１に入力されたフロー名が格納され、そのフローＩＤ３２には新たに割り当てられたフローＩＤが格納され、その作成者３３には上記管理者の名前が格納され、更に現在の年月日が作成日３４に格納される。また、版数３５は１となり、状態３６は“編集中”となり、使用３７は“使用する”となる。
【００７２】
但し、上記フロー名入力領域３０１に入力されたフロー名と同一のフロー名３１を有するレコードが既に存在する場合には、更新版の作成と判定し、上記版数３５にはこの既存レコードの版数３５の値に＋１した値が格納される（この点以外は、上記と同じである）。但し、通常は、更新版は上記図６の画面１００によるコピーに基づいて作成するので、入力ミスの可能性がある為、更新版作成で良いか否かを問うメッセージを表示すると共に、ＹＥＳ／ＮＯを入力させ、ＮＯである場合には再度フロー名を入力させるようにしてもよい。
【００７３】
一方、管理者は、新規セクションデータを作成したい場合には、セクション名入力領域３０３に所望のセクション名を入力してデータ作成ボタン３０４を操作する。これによって、テーブル５０に新たなレコードが作成される。
【００７４】
セクションデータの場合も、基本的には上記フローデータの新規作成の場合と同様であり、セクション名５１に上記入力したセクション名が格納され、新たに割り当てられたセクションＩＤがセクションＩＤ５２に格納され、その他、作成者５５、作成日５６にもデータが格納される。区切り５３、ロット生産５４には、管理者が任意に設定したデータが格納される。
【００７５】
図９〜図１３には、上記セクションデータ編集部２４によって作業指示データの作成管理装置２０のディスプレイに表示される各種画面の一例を示す。セクションデータ編集部２４によるセクションデータ編集作業は、上記画面１００よって作成されたコピーに基づいて新規セクションデータを作成する場合、上記画面３００によって作成された新規セクションデータを作成する場合、又は既存のセクションデータを一部変更したい場合等に行われる。
【００７６】
管理者が不図示の選択画面上でセクションデータ編集を指定すると、セクションデータ編集部２４によって、まず、図９に示すセクション選択画面４００が表示される。この画面４００内のセクション一覧表示・選択領域４０１上に、作業指示データ記憶部１１に記憶されている全てのセクションデータの名称が一覧表示されるので、管理者が、所望のセクション名を選択して選択ボタン４０２を操作すると、選択されたセクションデータについての編集画面５００が表示される。
【００７７】
図１０に示すセクションデータ編集画面５００の例では、セクション名表示領域５０１に上記選択されたセクションデータのセクション名が表示される。リンクファイル５０２、動画ファイル５０７には、それぞれ、上記選択されたセクションデータのリンクファイル７１、動画ファイル７２に格納されているファイル名が表示され、管理者がこのファイル名を変更、削除、追加等してからファイル指定ボタン５０３，５０８を操作することによって当該セクションデータに添付するファイルを変更、削除、追加等することができる。あるいはファイル解除ボタン５０４，５０９によってファイルを添付状態から解除でき、またはプレビューボタン５０５，５１０によってファイルを開くことができる。
【００７８】
また、管理者が、区切り５０６、ロット生産５１１をチェックすると、テーブル５０における当該編集対象のセクションデータの区切り５３、ロット生産５４が、「あり」、「する」になり、当然、チェックを外せば、「なし」、「しない」になる。
【００７９】
また、ステップ操作領域５１８には、上記選択されたセクション内の各ステップの情報が、テーブル６０から読み出されて表示される。図示の例では、各ステップのステップNo.５１９、ステップ名５２０、表示レベル５２１、及び更新有無５２２が表示され、それぞれ、テーブル６０のステップNo.６２、ステップ名６３、表示レベル６４、及び更新有無７７のフィールドのデータが表示される。管理者は、ステップ操作領域５１８上で直接、又はボタン５１２，５１３，５１６，５１７を操作することで、所望のステップを選択した後、「設定：１」、「設定：２」、「設定：３」の何れかを指定することで、選択したステップについての編集画面６００，７００，８００（図１１〜図１３に示す）の何れかが表示される。これら編集画面上で編集が行なわれることで、上記選択されたステップの内容が変更された場合には、更新有無５２２に、変更ありを示すチェックが入り、その後、保存ボタン５２３が操作されると、変更後の内容がテーブル６０に保存されると共に更新有無７７に「有」が格納されることになる。
【００８０】
尚、図示していないが、ステップ操作領域５１８に表示されるステップの順番を変更したり、ステップを削除又は追加する操作を行うことも可能である。勿論、ステップ名５２０や表示レベル５２１を変更する操作も可能である。
【００８１】
「設定：１」が指定された場合には、図１１に示す編集画面６００が表示される。
図示の編集画面６００では、テーブル６０の作業説明６５、使用部品／乙材６８、使用個数６９、及び使用治具／工具７０の内容を編集でき、各々について、図示の作業説明６０２、使用部品／乙材６０３、使用治具／工具６０４の各編集領域が表示される。管理者は、これら各編集領域上で所望のデータを入力する。
【００８２】
「設定：２」が指定された場合には、図１２に示す編集画面７００が表示される。
図示の編集画面７００では、テーブル６０の作業指示図６６、音声指示６７のファイルを変更、解除等できる。作業指示図７０２には作業指示図６６のファイルの内容が表示され、表示される内容を変更することもできる。音声指示７０５には、音声指示６７にファイルがある場合には♪マークが表示される。管理者は、既存のファイルを解除したい場合には、ファイル解除７０４，７０７を操作し、別のファイルを使用したい場合には、ファイル指定７０３、７０６を操作すればよい。
【００８３】
「設定：３」が指定された場合には、図１３に示す編集画面８００が表示される。
図示の編集画面８００では、テーブル６０の作業者動作の設定７３、作業者へのメッセージ７４、上限値７５、下限値７６の内容が編集可能である。作業者へのメッセージ７４、上限値７５、下限値７６に関しては、図示の符号８０５，８０６，８０７で示す各入力領域において、管理者が所望のデータを入力する。作業者動作の設定７３に関しては、まず、図示の作業者動作の設定候補８０２に、上記選択されたステップに設定可能な候補が一覧表示され、管理者がこの中から所望の候補を選択後に「＞」ボタン８０３を操作すると、選択された候補が作業者動作の設定８０４に表示される。管理者は、これを確認後、保存ボタン５２３を操作すれば、選択された候補がテーブル６０の作業者動作の設定７３に格納される。他も同様であり、作業者が所望のデータを入力後に保存ボタン５２３を操作すれば、入力されたデータによってテーブル６０の内容が更新されることになる。
【００８４】
図１４に、作業指示データリリース部２５によって作業指示データの作成管理装置２０のディスプレイに表示されるリリース画面の一例を示す。
このリリース画面９００は、例えば、管理者が、上記編集作業を完了して、表示動作確認等を行なった後、リリースしてもよいと判断したときに表示させる。
【００８５】
図示のリリース画面９００には、上記テーブル３０に格納される全てのフローのデータが表示される。ここでは、フロー名３１、版数３５、状態３６、及び使用３７のデータが、図示の通り、フロー名９０１、版数９０２、状態９０３、及び使用９０４に表示される。
【００８６】
更に、状態９０３が「編集中」で且つ使用９０４が「使用する」となっているデータについては、その図上右側に、リリースボタン９０５が表示される。
管理者が、編集完了したフローに対応するリリースボタン９０５を操作すると、このフローのリリース状態９０３は「リリース済み」となる。更に、このフローの旧版のデータ、すなわちフロー名９０１が同じで且つ版数９０２が１つ小さいフローがある場合には、このフローの使用９０４を「使用しない」に変更する。例えば、Ａ製品組立ての２版のデータをリリースした場合には、Ａ製品組立ての１版の使用９０４を「使用しない」にする。この様に、版を重ねても、「リリース済み」且つ「使用する」となっているデータは、必ず１つのみとなるようにしている（通常は、最新版を編集中のときはその１つ前の版、最新版を編集完了したら、最新版となる）。
【００８７】
尚、セクションデータにおいても、フローデータにおける版数３５、状態３６に相当するデータを追加し、リリース済みか否かを管理し、また上記リリース画面９００で設定可能としてもよい。この場合には、上記画面１００でコピー実行の際には、上記フローの場合と同様、更新か否かを確認し、更新の場合には当該コピーデータの版数３５にコピー元の版数＋１を格納すると共に、その状態３６は編集中とする。また、この場合において、フローデータは、当該フローデータに関連付いている全てのセクションデータがリリース済みとなっていないと、上記リリースボタンが表示されない（つまり、リリース出来ない）ようにしてもよい。尚、上記の通り上記コピー／編集処理によって作成された新セクションデータは編集中となっているので、編集完了してリリース済みとなるまでは、編集等に利用されないし（一覧表示の対象外となる）、当然、作業者支援装置２で表示されることもない（それ以前に、フローデータに関連付けられない）。リリース済みが設定されたら、自動的にフローデータと関連付ける（旧版と置き換える）処理を実行する。
【００８８】
作業者支援装置２は、上記の様に随時作成・更新されるテーブル３０〜テーブル６０を用いて、作業指示画面を表示する。図１５は作業指示画面の一例であり、図１６にはこの作業指示画面の表示の為に作業者支援装置２が実行する処理のフローチャート図である。
【００８９】
以下、図１５、図１６を参照して、上記テーブル３０〜テーブル６０を用いた作業指示画面の表示処理について説明する。
まず、任意の作業者支援装置２を使用する任意の作業者が、図１５に示す作業指示画面1000のフロー名入力欄1001において、所望のフロー名を入力すると（ステップＳ１１）、作業者支援装置２は、このフロー名を用いてテーブル３０を検索して、そのフロー名３１が入力されたフロー名と同一であるレコードを全て抽出し、この中で状態３６が「リリース済み」で且つ使用３７が「使用する」となっているレコードを、表示対象のフローデータであると判定してこのレコードのフローＩＤ32を取得し（ステップＳ１２）、このフローＩＤを用いてテーブル４０を検索して、当該フローＩＤに関連付けられているセクションデータのセクションＩＤ４３と実行順序４２を全て取得する（ステップＳ１３）。そして、取得した各セクションＩＤ４３を用いてテーブル５０，６０を検索して、該当する全てのデータ／電子データファイルを作業者支援装置２の記憶装置にコピーする（ステップＳ１４）。また、上記テーブル４０における該当データも作業者支援装置２の記憶装置にコピーする。
【００９０】
上記処理により、指定されたフロー名に関する作業指示画面を表示するのに必要な全てのデータ／電子データファイルを、自己の記憶装置にコピーした作業者支援装置２は、このデータを用いて、以下の通り、作業指示データを順次表示する。
【００９１】
まず最初は、上記フローデータに係る最初のセクション（実行順序４２＝‘１’）のセクションデータにおけるロット生産５４を参照して、「する」となっていた場合には（ステップＳ１５、あり）、作業者にロット数の入力を促す（ステップＳ１６）。これは、図１５の画面例には図示していないロット数入力領域を別途表示してもよいし、入力エリア1013を利用してもよい。ロット数が入力されたら、これを保持してステップＳ１７に進む。尚、ロット数は初期値‘１’となっている。よって、ロット生産５４が「しない」となっていた場合には（ステップＳ１５、なし）、ロット数＝１のままステップＳ１７に進む。
【００９２】
その後は、テーブル６０から取得したデータを用いて（勿論、テーブル６０でファイル名が指定されている電子データファイルも用いて）、最初のセクションの各ステップ毎に作業指示画面を順次表示して、作業者はこの画面を参照して製造作業を実行し、最初のセクションの全てのステップについて表示を行い且つその作業が完了したら（ステップＳ１８，Ｓ１９，Ｓ２０）、繰り返し回数＝ロット数でなければ（ステップＳ２０、ＮＯ）、再びステップＳ１７の処理に戻る。その際、繰り返し回数を＋１インクリメントする。尚、繰り返し回数は初期値‘１’となっている。
【００９３】
この様に、ロット生産ありが設定されている場合には、設定されたロット数分、そのセクションデータの表示を繰り返し実行する。一方、ロット生産なしの場合には、上記の通り、ロット数＝１であるので、一回表示したら、次のセクションデータの表示へと移行する。
【００９４】
繰り返し回数＝ロット数となったら（ステップＳ２０、ＹＥＳ）、当該セクションデータの区切り５３を参照して、「あり」の場合には（ステップＳ２１、あり）、次のセクションデータの表示に移行することなく、中断する（ステップＳ２３）。その後、別の作業員が操作した場合には、中断した時点から（すなわち次のセクションデータの）作業指示データから表示開始することになる。一方、区切り５３が「なし」の場合には（ステップＳ２１、なし）、次のセクションがあるか否かを判定し、当該セクションが本フローの最後のセクションであった場合には（ステップＳ２２、なし）、本処理を終了する。
【００９５】
上記の通り、１つのフロー作業を複数の作業者が分担する場合には、各作業者が分担する作業を完了した時点で表示が中断されるので、各作業者は自己の分担作業が完了したことを知ることができ、次の作業者は、自己の分担の最初から作業指示データが表示されることになる。
【００９６】
次のセクションがある場合には（ステップＳ２２、あり）、次のセクションについて上記最初のセクションと同様の処理を実行することになる（ステップＳ２４、Ｓ１６〜２０の処理を実行）。
【００９７】
上記ステップＳ１７〜Ｓ１９では、各ステップ毎にそのステップのデータやデータファイル名を、上記コピーしたテーブル６０を参照して取得し、これらデータ（説明文等）を表示し、あるいはデータファイル名のファイルを取得してこのファイルを開いて表示することで、図１５に示す作業指示画面1000が表示される。尚、各データの表示位置、表示領域については、特許文献２と同様、予め雛形が作成されており、この雛形に従って表示する。図１５の作業指示画面において、セクション名1002、ステップ名1003には、現在表示しているセクション、ステップのセクション名、ステップ名が表示される。
【００９８】
図１５の符号1007,1008、1009、1010、1011、1012で示す各領域には、作業指示図６６、作業説明６５、使用部品／乙材６８、使用個数６９、使用治具／工具７０、作業者動作の設定７３、作業者へのメッセージ７４に格納されたデータ又はファイル名のファイルを用いた表示が行われる。入力エリア1013には、符号1012の領域に表示されたメッセージを見た作業者が、このメッセージに応じた入力を行うものであり、図示の例では現在の作業対象の製品のシリアル番号を入力する。この様に、単に作業指示内容を表示するだけでなく、作業者にその都度必要なデータを入力させることもでき、入力されたデータを利用した処理を実行できる。例えば、上記の例では、例えば「現場Ｘでは本日はシリアル番号０番〜１００番までの部品を使用して１００台製造」と決まっていた場合には、間違って別の部品が供給されていないか等を確認したり、１００台製造したら作業指示を終了する等の処理を実行できる。
【００９９】
また、符号1006の領域には、更新有無７７のデータを表示する。ここでは更新は“有”となっており、作業者は、このステップの作業説明内容に変更があることを認識することができる。
【０１００】
これによって、従来では、ある作業の作業指示書(本例のフローに相当)が更新されたことは分かっても、この作業指示書内のどのページが変更されたのか分からなかったが、本例では領域1006に表示されるので、簡単に分かる。作業者は、更新なしのステップに関しては、今まで通り作業すればよいので、更新ありのステップのみを注意して見ればよいので、作業効率が向上するし、ミスも少なくなる。
【０１０１】
また、作業者が動画ファイル実行ボタン1004を操作すると、動画ファイル７２に格納されているファイル名のファイルを実行することで、動画による作業説明が表示される。あるいは作業者がリンクファイル実行ボタン1005を操作すると、リンクファイル７１に格納されているファイル名のファイルが実行される。
【０１０２】
最後に、作業指示データファイル記憶部１２に格納される作業指示データファイルについて、図１７に一例を示す。
図示の０４５、０３４等は、各フォルダのフォルダ名であって、上記セクションＩＤである。すなわち、本例では、各セクションデータ毎にフォルダを作成し、フォルダの名称はセクションＩＤを用いる。フォルダには、そのセクションデータで用いる全ての電子データファイル（上記作業指示図、動画ファイル等）が格納されるが、その際、オリジナルのファイル名から作業指示データ作成部２１が任意に決定したファイル名（図示の045#1.JPG等）へと変更されて格納されるようになっている。この様にすることで、悪意あるユーザが作業指示データ作成部を用いずに上記電子データファイルにアクセスしようとしても、意図する電子データファイルへアクセスすることが困難となる。
【０１０３】
図１８は、上記作業支援システム１を実現する各コンピュータ（ＤＢサーバ１０、作業者支援装置２、作業指示データの作成管理装置２０）のハードウェア構成の一例を示す図である。
【０１０４】
図示の例のコンピュータ2000は、ＣＰＵ200１、ＲＯＭ2002、ＲＡＭ2003、記憶部2004、インタフェース部2005、操作入力部2006、表示部2007等を有し、これらはバス2008を介して相互に接続されており、ＣＰＵ2001による管理の元で相互にデータのやりとりを行うことができる。
【０１０５】
ＣＰＵ(Central Processing Unit)2001は、コンピュータ2000全体の動作制御を司る中央処理装置である。
ＲＯＭ2002は、一応図示してあるが、無くてもよく、ここでは特に説明しない。
【０１０６】
ＲＡＭ(Random Access Memory)2003は、記憶部2004に格納されている後述する各種のアプリケーションプログラムを、ＣＰＵ2001が実行するときにワークメモリとして使用され、また各種のデータの一時的な格納領域として必要に応じて用いられるメインメモリとしても使用されるメモリである。
【０１０７】
記憶部2004は、図３（ａ）、（ｂ）、図４、図５に示す各種データやその一部のコピー、上述してある作業指示データ作成部２１、フローデータ／セクションデータ作成部２２、フローデータ／セクションデータ関連付け部２３、セクションデータ編集部２４、作業指示データリリース部２５、作業指示データコピー部２６の各種処理機能を、ＣＰＵ2001により実行させる為の所定のアプリケーションプログラムが格納される記憶装置であり、例えばハードディスク装置であり、あるいはＦＤ（フレキシブルディスク）、ＣＤ−ＲＯＭ、ＣＤ−Ｒ、ＭＯ、ＤＶＤ−ＲＯＭ等の携帯可能記録媒体である。尚、ここでいう携帯可能とは、コンピュータ2000とは独立して持ち運び可能であるという意味である。尚、作業者支援装置２の場合には、記憶部2004には、図１６に示すフローチャートの処理を、ＣＰＵ2001により実行させる為の所定のアプリケーションプログラムが記憶される。
【０１０８】
インタフェース部2005は、例えば任意のネットワークを介して外部の他の何らかの装置とデータ送受信を行う為の通信制御部である。例えばインタフェース部2005を介して、外部の情報処理装置（サーバ等）から上記各種のアプリケーションプログラムをダウンロードするようにしてもよい。
【０１０９】
操作入力部2006は、例えばキーボード、マウス等である。
表示部2007は、ディスプレイ等である。
図１９に、上記各種機能を図１８のコンピュータにより実現させる為のアプリケーション・プログラムを記憶した記録媒体、記憶装置、そのダウンロードの例を示す。
【０１１０】
図１９において、上記各種のアプリケーションプログラムは、コンピュータ2000内の記憶装置2010（ハードディスク装置2011、ＲＯＭ2012等）に格納してあってもよいし、携帯可能記録媒体2020（フレキシブルディスク2021、ＣＤ−ＲＯＭ2022、ＭＯ2023、ＤＶＤ−ＲＯＭ2024等）に記録されていてもよいし、外部の任意の情報処理装置（サーバ等）2030内の記憶装置2031に格納されていてもよい。そして、例えば、携帯可能記録媒体2020をコンピュータ2000に挿入して、この携帯可能記録媒体2020に記録されている上記プログラムを読み出す。あるいは、記憶装置2031に格納されているプログラムを、任意のネットワーク2040（公衆回線網、インターネット、ケーブルテレビ網、何等かの専用線等）を介してダウンロードしてもよい。
【図面の簡単な説明】
【０１１１】
【図１】作業支援システム全体の構成図である。
【図２】フローデータとセクションデータとの関連付けの具体例を示す図である。
【図３】フローデータの一例を示す図であり、（ａ）はメイン、（ｂ）はサブである。
【図４】セクションデータのメインテーブル例である。
【図５】セクションデータのサブテーブル例である。
【図６】フローデータ／セクションデータコピー画面一例である。
【図７】フローデータ・セクションデータ関連付画面の一例である。
【図８】フロー／セクション新規作成画面一例である。
【図９】セクション選択画面の例である。
【図１０】セクションデータ編集画面例（その１）である。
【図１１】セクションデータ編集画面例（その２）である。
【図１２】セクションデータ編集画面例（その３）である。
【図１３】セクションデータ編集画面例（その４）である。
【図１４】リリース画面例である。
【図１５】作業指示画面例である。
【図１６】作業指示画面表示に係る処理フローチャート図である。
【図１７】作業指示データファイル記憶部に格納される作業指示データファイルの格納方式の一例である。
【図１８】コンピュータハードウェア構成図である。
【図１９】記録媒体、ダウンロードについて説明する為の図である。
【符号の説明】
【０１１２】
１  作業支援システム
２  作業者支援装置
３  ネットワーク
１０  データベース（ＤＢ）サーバ
１１  作業指示データ記憶部
１２  作業指示データファイル記憶部
２０  作業指示データの作成管理装置
２１  作業指示データ作成部
２２  フローデータ／セクションデータ作成部
２３  フローデータ／セクションデータ関連付け部
２４  セクションデータ編集部
２５  作業指示データリリース部
２６  作業指示データコピー部
３０  フローデータ管理テーブル（メイン）
３１  フロー名
３２  フローＩＤ
３３  作成者
３４  作成日
３５  版数
３６  状態
３７  使用
４０  フローデータ管理テーブル（サブ）
４１  フローＩＤ
４２  実行順序
４３  セクションＩＤ
５０  セクションデータ管理テーブル（メイン）
５１  セクション名
５２  セクションＩＤ
５３  区切り
５４  ロット生産
５５  作成者
５６  作成日
６０  セクションデータ管理テーブル（サブ）
６１  セクションＩＤ
６２  ステップNo.
６３  ステップ名
６４  表示レベル
６５  作業説明
６６  作業指示図
６７  音声指示
６８  使用部品／乙材
６９  使用回数
７０  使用治具／工具
７１  リンクファイル
７２  動画ファイル
７３  作業者動作の設定
７４  作業者へのメッセージ
７５  上限値
７６  下限値
７７  更新有無
１００  コピー画面
１０１  一覧表示
１０２  選択ボタン
１０３  コピー対象フロー名
１０４  コピー実行ボタン
１０５  コピー対象セクション名
１０６  コピー実行ボタン
２００  関連付画面
２０１  一覧表示
２０２  選択ボタン
２０３  関連付フロー名
２０４  セクション編集領域
２０５  ＵＰボタン
２０６  ＤＯＷＮボタン
２０７  ＤＥＬボタン
２０８  「編集中で保存」ボタン
３００  新規作成画面
３０１  フロー名入力領域
３０２  データ作成ボタン
３０３  セクション名入力領域
３０４  データ作成ボタン
４００  セクション選択画面
４０１  セクション一覧表示・選択領域
４０２  選択ボタン
５００  セクションデータ編集画面
５０１  セクション名表示領域
５０２  リンクファイル
５０３，５０８  ファイル指定ボタン
５０４，５０９  ファイル解除ボタン
５０５，５１０  プレビューボタン
５０６  区切り
５１１  ロット生産
５１２，５１３，５１６，５１７  ボタン
５１８  ステップ操作領域
５１９  ステップNo.
５２０  ステップ名
５２１  表示レベル
５２２  更新有無
５２３  保存ボタン
６００  編集画面
６０２  作業説明
６０３  使用部品／乙材
６０４  使用治具／工具
７００  編集画面
７０２  作業指示図
７０３，７０６  ファイル指定
７０４，７０７  ファイル解除
７０５  音声指示
８００  編集画面
８０２  設定候補
８０３  「＞」ボタン
８０４  作業者動作の設定
８０５，８０６，８０７  入力領域
９００  リリース画面
９０１  フロー名
９０２  版数
９０３  状態
９０４  使用
1000  作業指示画面
1001  フロー名入力欄
1002  セクション名
1003  ステップ名
1007,1008、1009、1010、1011、1012  各領域
1013  入力エリア
1004  動画ファイル実行ボタン
1005  リンクファイル実行ボタン
2000  コンピュータ
2001  ＣＰＵ
2002  ＲＯＭ
2003  ＲＡＭ
2004  記憶部
2005  インタフェース部
2006  操作入力部
2007  表示部
2008  バス
【図１】
2007048009.tif 000003
【図２】
2007048009.tif 000004
【図３】
2007048009.tif 000005
【図４】
2007048009.tif 000006
【図５】
2007048009.tif 000007
【図６】
2007048009.tif 000008
【図７】
2007048009.tif 000009
【図８】
2007048009.tif 000010
【図９】
2007048009.tif 000011
【図１０】
2007048009.tif 000012
【図１１】
2007048009.tif 000013
【図１２】
2007048009.tif 000014
【図１３】
2007048009.tif 000015
【図１４】
2007048009.tif 000016
【図１５】
2007048009.tif 000017
【図１６】
2007048009.tif 000018
【図１７】
2007048009.tif 000019
【図１８】
2007048009.tif 000020
【図１９】
2007048009.tif 000021